(57)【要約】圧迫筒を必要としないときに、圧迫筒を格納する格納箱を邪魔にならない位置に回避できるようにしたＸ線透視撮影台を、簡単な構造で提供する。Ｘ線管４を上部で支持する支柱２と、支柱前面側に配置された被検者寝載用天板３と、被検者の撮影部位を圧迫するための圧迫筒７と、支柱２に取り付けられて圧迫筒７を取り出し可能に格納する格納箱８とを備えたＸ線透視撮影台において、圧迫筒の格納箱８が格納箱回避機構１０により支柱前面に位置する使用位置から支柱側面に位置する回避位置に移動可能に形成されるようにする。
2010084603.tif 000002
【特許請求の範囲】
【請求項１】
Ｘ線管を上部で支持する支柱と、支柱前面側に配置された被検者寝載用天板と、被検者の撮影部位を圧迫するための圧迫筒と、前記支柱に取り付けられて圧迫筒を取り出し可能に格納する格納箱とを備えたＸ線透視撮影台において、前記圧迫筒の格納箱が格納箱回避機構を介して支柱前面に位置する使用位置から支柱側面に位置する回避位置に移動可能に形成されていることを特徴とするＸ線透視撮影台。
【請求項２】
前記格納箱回避機構は支柱に保持された蝶番部材を含み、該蝶番部材に圧迫筒の格納箱が取り付けられ、蝶番部材を回動することにより格納箱が使用位置と回避位置とに移動できるように形成されている請求の範囲１に記載のＸ線透視撮影台。
【請求項３】
前記格納箱回避機構が、支柱の周囲に設けられた円弧状のレールと、該レールに沿って圧迫筒の格納箱が摺動できるように格納箱に設けられた嵌合溝とからなる請求の範囲１に記載のＸ線透視撮影台。
【発明の詳細な説明】
【技術分野】
【０００１】  本発明は、被検者寝載用天板（寝台）並びに被検者の撮影部位を圧迫するための圧迫筒装置とを備えたＸ線透視撮影台に関する。
【背景技術】
【０００２】  一般に、被検者寝載用天板を備えたＸ線透視撮影台において、天板上に横たわる被検者の胃や腸などの臓器を撮影する場合、胃を他の臓器と区別して識別する必要があるため、バリウム系の造影剤を被検者に経口投与して撮影が行われるが、胃や腸は内壁にひだがあるため造影剤が均一に分散されにくく、このため、特許文献１や特許文献２に示すような圧迫筒を使用して撮影部位を上部から圧迫し、造影剤を胃壁などの隅々まで行き渡らせて透視撮影を行っている。また、圧迫撮影を行わないときは圧迫筒を、支柱に取り付けた格納箱内に格納できる構造となっている。【特許文献１】特開平１０−１０８８６３号公報
【特許文献２】特開２００６−８１７８５号公報
【発明の開示】
【発明が解決しようとする課題】
【０００３】  しかし、上記の従来構造では、圧迫筒を使用しないときに圧迫筒を格納箱内に格納したとしても、格納箱自体が、圧迫筒を駆動するためのモータやリンク等の駆動機構を内蔵し、かつ、圧迫筒を格納するに充分な内部空間を確保しなければならないので、かなり大きさサイズを必要とし、そのため、被検者が横たわる天板上の有効スペースを占領して術者の作業や被検者の寝起きの邪魔になる、といった大きな弊害があった。【０００４】  そこで本発明は、このような課題に鑑みてなされたものであって、被検者が横たわる際や術者が作業する際に、圧迫筒を収納する格納箱が邪魔にならないようにすることを目的とする。
【課題を解決するための手段】
【０００５】  上記目的を達成する為に本発明では次のような技術的手段を講じた。即ち、本発明のＸ線透視撮影台にあっては、Ｘ線管を上部で支持する支柱と、支柱前面側に配置された被検者寝載用天板と、被検者の撮影部位を圧迫するための圧迫筒と、前記支柱に取り付けられて圧迫筒を取り出し可能に格納する格納箱とを備えたＸ線透視撮影台において、前記圧迫筒の格納箱が格納箱回避機構を介して支柱前面に位置する使用位置から支柱側面に位置する回避位置に移動可能に形成するようにしている。
【発明の効果】
【０００６】  本発明のＸ線透視撮影台は上記のごとく構成されているので、圧迫筒を必要としないときには格納箱回避機構を介して、圧迫筒を格納する格納箱を支柱側面に位置する回避位置まで回避させることができ、これにより、被検者が横たわる天板上の有効スペースを広く確保することができて格納箱が術者の作業や被検者の寝起きの邪魔になることを防止することができるといった優れた効果がある。【０００７】（その他の課題を解決するための手段及び効果）  上記発明において、前記格納箱回避機構は支柱に保持された蝶番部材を含み、該蝶番部材に圧迫筒の格納箱が取り付けられ、蝶番部材を回動することにより格納箱が使用位置と回避位置とに移動できるように形成されている構成とするのがよい。この場合、使用位置と回避位置で格納箱の姿勢を安定よく保持できるように、蝶番部材若しくは格納箱を支柱に対して仮止めするマグネットキャッチ等のキャッチ部材を設けてもよい。  この構成によれば、圧迫筒を格納する格納箱の回避位置並びに使用位置への移動が、蝶番部材を介して格納箱を回動操作させるだけでよいから、操作が容易、迅速にでき、且つ簡単な構造で格納箱回避機構を形成することができる。【０００８】  また、上記発明において、前記格納箱回避機構が、支柱の周囲に設けられた円弧状のレールにと、該レールに沿って圧迫筒の格納箱が摺動できるように格納箱に設けられた嵌合溝とから構成するのがよい。  これにより、圧迫筒を格納した格納箱を支柱に安定よく保持できると共に、格納箱をレールに沿って移動させることにより、回避位置並びに使用位置に容易に移動させることができ、かつ、簡単な構造で実現することができる。
【図面の簡単な説明】
【０００９】
【図１】本発明にかかるＸ線透視撮影台の概略的な構成図。
【図２】本発明における格納箱回避機構の第１実施例の格納箱使用位置を示す平面図。
【図３】上記実施例における格納箱回避位置を示す平面図。
【図４】本発明における格納箱回避機構の第２実施例の格納箱使用位置を示す平面図。
【図５】上記第２実施例における格納箱回避位置への回避過程を示す平面図。
【図６】上記第２実施例における格納箱回避位置を示す平面図
【図７】本発明における格納箱回避機構の第３実施例の格納箱使用位置を示す平面図。
【図８】上記第３実施例における格納箱回避位置を示す平面図。
【図９】上記第３実施例の要部の断面図。
【図１０】本発明における格納箱回避機構の別の実施例を示す平面図。
【図１１】本発明における格納箱回避機構の更に別の実施例を示す平面図。
【符号の説明】
【００１０】２  支柱３  天板４  Ｘ線管７  圧迫筒８  格納箱１０  格納箱回避機構１１  蝶番部材２１  レール２２  嵌合溝
【発明を実施するための最良の形態】
【００１１】  以下において本発明にかかるＸ線透視撮影台について図面に示した実施例に基づき説明する。  図１は本発明にかかるＸ線透視撮影台の概略構成を示した全体図であって、床面に設置固定される基台１と、この基台１に立てられた支柱２と、前記支柱２の前面で基台１に起倒可能に支持された天板３と、この天板３上の被検者を透視撮影するために支柱２の上端に設けられたＸ線管４と、該Ｘ線管４に相対して天板３の下方に配置されたＸ線像検出部５と、Ｘ線管４と天板３との間で前記支柱２に取り付けられて、圧迫筒７を取り出し可能に格納する格納箱８とからなる。圧迫筒７は回動並びに伸縮可能なアーム９を介して図１の仮想線に示すように下方に反転して被検者の撮影部位を圧迫することができるように形成されており、この圧迫筒７を、格納位置から被検者の撮影部位を圧迫する使用姿勢まで反転作動させるためのモータを含む駆動機構が格納箱８内に内蔵されている。なお、この圧迫筒７の駆動機構は、例えば特許文献１や特許文献２でも開示されているようによく知られているため、その詳細な説明は省略する。【００１２】  更に前記圧迫筒７の格納箱８が、支柱２の前面に位置する使用位置から支柱側面に位置する回避位置まで格納箱回避機構１０を介して移動可能に形成されている。【００１３】  図２〜図３は上記格納箱回避機構１０の第１実施例を示すものであって、この実施例では支柱８の前面縁部に軸１１を介して回動可能に取り付けられた蝶番部材１２に格納箱８が取り付けられ、この軸１１を支点として格納箱８を回動することにより、図２の支柱前面に配置される使用位置から、図３の支柱側面に配置される回避位置まで移動できるように形成されている。  また、格納箱８が使用位置にある時にその姿勢を安定よく保持するための保持機構が講じられている。本実施例にあっては、格納箱８の背面と支柱２との間にマグネットキャッチ１３並びに鉄板１４が設けられており、同様に、回避位置で格納箱８の姿勢を仮保持するマグネットキャッチ１５並びに鉄板１６が設けられている。尚、格納箱８の姿勢を保持する手段はマグネットキャッチに限るものでなく、その他の手段、例えば弾性的に係合するラッチ等であってもよく、あるいは着脱可能なフックやビス等で確実に止着するようにしてもよい。【００１４】  従ってこの実施例にあっては、格納箱８を蝶番部材の軸１１を支点として回動させることにより圧迫筒７を使用位置から回避位置まで、或いは回避位置から使用位置まで移動させることができる。【００１５】  図４〜図６は蝶番部材を利用した格納箱回避機構１０の第２の実施例を示すものであって、この実施例では支柱２の側面に前後方向に沿ってレール１７が設けられ、このレールに沿ってスライド部材１８が摺動できるように形成されている。このスライド部材１８に軸１９を支点として回動する蝶番部材２０が取り付けられている。圧迫筒７を格納する格納箱８は、図４に示すように蝶番部材２０が支柱２の前面に接する姿勢まで回動したときに使用位置となるように蝶番部材２０に取り付けられている。そして図４の使用位置から図５に示すように蝶番部材１７を９０度回転させたあと、スライド部材１８を介して格納箱８をレール１７に沿って押し込���で移動させることにより図５の回避位置まで移動できるように形成されている。この場合も先の実施例と同様に、格納箱８の使用位置と回避位置とでその姿勢を安定保持するキャッチ等の保持機構を設けるのがよい。【００１６】  図７〜図９は本発明における格納箱回避機構１０の第３の実施例を示す。この実施例では、支柱２が円柱状をなし、この円柱状支柱２の周囲に設けられた円弧状のレール２１が設けられ、該レール２１に、格納箱８の背面に形成された嵌合溝２２が摺動できるように取り付けられている。この嵌合溝２２は、図９に示すように格納箱８がレール２１から脱落しないようにアリ溝の形態で形成されている。  この実施例によれば、格納箱８を支柱２に対して安定よく保持できると共に、格納箱８をレール２１に沿って移動させることにより、回避位置並びに使用位置に容易に移動させることができ、且つ簡単な構造で実現することができる。また図１０に示すように、円弧状のレール２１を支柱２の左右両側方にまで延長させることにより、格納箱８を支柱２のいずれ側にも回避させることができきる。  なお、この実施例においても、第１並びに第２実施例同様に、格納箱８の使用位置と回避位置とでその姿勢を安定保持するキャッチ等の保持機構を設けることが好ましいことは勿論である。【００１７】  また、上記第３実施例において、支柱２を円柱状としたが、図１１に示すように一般的な四角柱の支柱２に対しても、その周囲に円弧状のレール２１を配設することにより、第３実施例と同様な格納箱回避機構１０を形成することができる。【００１８】  以上本発明の代表的な実施例について説明したが、本発明は必ずしも上記の実施例構造のみに特定されるものではない。例えば、格納箱回避機構１０は使用位置と回避位置とに移動できる機構であればどのようなものであってもよい。その他本発明ではその目的を達成し、請求の範囲を逸脱しない範囲内で適宜修正、変更することが可能である。
【産業上の利用可能性】
【００１９】  本発明は、Ｘ線透視撮影台の被検者寝載用天板（寝台）における圧迫筒に適用することができる。
【図１】
2010084603.tif 000003
【図２】
2010084603.tif 000004
【図３】
2010084603.tif 000005
【図４】
2010084603.tif 000006
【図５】
2010084603.tif 000007
【図６】
2010084603.tif 000008
【図７】
2010084603.tif 000009
【図８】
2010084603.tif 000010
【図９】
2010084603.tif 000011
【図１０】
2010084603.tif 000012
【図１１】
2010084603.tif 000013
【国際調査報告】
2010084603.tif 000014
2010084603.tif 000015
2010084603.tif 000016
2010084603.tif 000017